(57)【要約】【課題】  多人数用のロッカーにおいて、どの位置にある収納区画（個々のロッカー）であっても、従来品のような使い難さのない多人数用ロッカーを提供すること。【解決手段】  ロッカー筐体１を複数の収納区画S1〜S21に形成した多人数用ロッカーにおいて、少なくとも最下段の収納区画S19〜S21は、引出し筐体13を出入れ自在に架装して形成したこと。【選択図】図２
2006055527.tif 000002
【特許請求の範囲】
【請求項１】
ロッカー筐体を複数の収納区画に形成した多人数用ロッカーにおいて、少なくとも最下段の収納区画は、引出し筐体を出入れ自在に架装して形成し、他の収納区画にはヒンジ式の開き扉を設けたことを特徴とする多人数用ロッカー。
【請求項２】
複数の収納区画は、一本のロッカー筐体に形成するか、又は、少なくとも二本の筐体を並べたロッカー筐体に形成した請求項１の多人数用ロッカー。
【請求項３】
ヒンジ式の開き扉を備えた収納区画を形成したロッカー筐体を、引出し筐体を架装した収納区画を形成したロッカー筐体の上に載置して連結した請求項１又は２の多人数用ロッカー。
【請求項４】
引出し筐体を架装した収納区画の上下幅は、ヒンジ式の開き扉を備えた収納区画の上下幅より大きく形成した請求項１〜３のいずれかの多人数用ロッカー。
【発明の詳細な説明】
【技術分野】
【０００１】
本発明はスポーツクラブやスイミングスクールなどのような各種の施設（学校，事業所などを含む、以下、同じ）において、多人数で使用するロッカーに関する。
【背景技術】
【０００２】
スポーツクラブ等の施設においては、更衣室などに多数のメンバーなどが着替え時などに使用する多人数用ロッカーが設置されることが多いが、多数の人がスペース的に効率よく、また、使い易く各人用の収納区画（個々のロッカー）を利用できるようにするため、様々な工夫を凝らした多人数用ロッカーが使用されている。
【０００３】
上記のような多人数用のロッカーは、大きなロッカー筐体を、複数人で利用するために収納部を複数に区画し、各収納区画に、それぞれ蝶番乃至ヒンジ式の扉を取付けた状態のものが大半であるが、前記筐体における収納区画（個々のロッカー）の位置によっては使い難い場所がある。
【０００４】
即ち、上記多人数ロッカーの各収納区画の扉は、すべてヒンジ式扉であるため、各収納区画とも着衣等の品物の出入れは、扉を開けた区画に対し、品物を水平に動かす態様で出入れすることになるが、このような品物の出入れ態様は、筐体の最下段に形成された収納区画では、使用者が屈み込んで区画内に品物を出入れすることを強いられるため、至って使い難いという点である。
【発明の開示】
【発明が解決しようとする課題】
【０００５】
そこで本発明では多人数用のロッカーにおいて、どの位置にある収納区画（個々のロッカー）であっても、従来品のような使い難さのない多人数用ロッカーを提供することを、その課題とする。
【課題を解決するための手段】
【０００６】
上記課題を解決することを目的とした本発明ロッカーの構成は、ロッカー筐体を複数の収納区画に形成した多人数用ロッカーにおいて、少なくとも最下段の収納区画は、引出し筐体を出入れ自在に架装して形成し、他の収納区画にはヒンジ式の開き扉を設けたことを特徴とするものである。
【０００７】
本発明ロッカーは上記構成において、引出し筐体を架装した収納区画以外の収納区画には、開閉自在のヒンジ式扉を装着する。また、引出し筐体を架装する収納区画は、最下段とそれより上方の収納区画にも形成することがある。更に、本発明においては、複数の収納区画を形成した１の筐体の２本以上を横方向又は縦方向に並べて、本発明多人数用ロッカーに形成することもある。
【０００８】
本発明ロッカーにおける各扉並びに引出し筐体は、機械式や電気式などによる各種機構，構造の鎖錠装置を具備しているものとする。
【発明の効果】
【０００９】
本発明多人数用ロッカーは、少なくとも最下段の収納区画に引出し式筐体を架装して各個人用の収納区画に形成したので、最下段の収納区画もヒンジ式扉であった従来の多人数用ロッカーに比べ、屈み込んで品物の出入れをする必要がなくなるので、少なくとも最下段の各個人用の収納区画（ロッカー）の使い勝手がすこぶる向上する。
【発明を実施するための最良の形態】
【００１０】
次に本発明の実施の形態例について、図を参照して説明する。図１は、最上段右側の扉を開けた状態の本発明多人数ロッカーの一例の正面図、図２は図１のロッカーのＡ−Ａ線矢視断面図である。
【００１１】
図１，図２において、１は薄板鋼板などにより前面を開口して形成した正面から視て矩形状をなす多人数用ロッカーの筐体で、図の例では、１本の筐体１の開口部全域が、２列の縦仕切板２，３と、６段の横仕切板４〜９により格子状に区画されて、全部で21個の（21人用の）収納区画S1〜S21に形成されている。なお、筐体１において、1aは天板、1bは地板、1c，1dは左右の側板、1eは背板である。
【００１２】
上記21個の収納区画のうち、最下段の３つの区画S19〜S21を除く他の区画S1〜S18は、すべて同一サイズであるが、最下段の３つの区画S19〜S21は、上方の区画S1〜S18よりも上，下幅を大きく形成している。使い易さを考慮して屈み込むことなく比較的高い位置から収納部へ品物を出入れするためのアプローチを可能にするためである。
【００１３】
上記の21個の各収納区画S1〜S21において、最下段の３つの区画S19〜S21を除いた残りの区画S1~S18の各開口部には、手掛かり部を有する鎖錠装置10を備えた同大，同構造のヒンジ式の扉11が装着されているが、最下段の３つの区画S19〜S21には、手掛かり部を有する鎖錠装置12を前面の鏡板に備えた同じ大きさ，構造の引出し筐体13が架装されている。14は、筐体架装用のレールである。本発明において、扉11は横開き式の扉を用いているが、扉11は、上，下方向で開閉する扉であってもよい。
【００１４】
上記のように形成される本発明多人数用ロッカーは、最下段を除く収納区画S1〜S18は、公知のヒンジ式の開き扉11を有する多人数用ロッカーと同様に、各収納区画を各人が使用するが、最下段の収納区画S19〜S21には、夫々に引出し筐体13がレール14を介して架装されており、また、図示した例では、引出し筐体13を架装する区画S19〜S21は、他の区画S1〜S18よりも上下幅を大きくしているので、この収納区画S19〜S21を使用する者は、引出し筐体13を手前に引出してその上方から品物出入れのためのアプローチが出来るので、従来の最下段の収納区画のように屈み込んで品物を出入れする必要がなくなる。
【００１５】
本発明において、引出し筐体13を架装する収納区画S19〜S21の上下幅は、必らずしも上方の収納区画S1〜S18より大きくしなければならない訳ではない。上方の区画S1〜S18の上下幅より小さい上下幅の場合もあり得る。また、図示した本発明多人数用ロッカーの例では、下から２段目乃至３段目の収納区画、図の例では区画S10〜S18までを、引出し筐体を架装したタイプの収納区画に形成してもよい。
【００１６】
更に、本発明多人数用ロッカーでは、筐体１が収納区画を横方向で２列以上形成されていることを要件としない。即ち、筐体１の収納区画は一列で、上下方向にのみ複数個の収納区画を形成したものを含む。このように筐体１に形成した複数の収納区画が単列の筐体１は、その少なくとも２本を横方向に並べて、図示した例の区画配列パターンの多人数用ロッカーに形成できるからである。
【００１７】
また、本発明多人数用ロッカーは、図示しないが、最下段乃至最下段から２，３段目位までを引出し筐体13を架装した一つのロッカー筐体で形成し、この引出し式収納部のロッカー筐体の上に、ヒンジ式扉11のみで各収納区画の扉を形成した他のロッカー筐体を載置連結した形態とすることもできる。
【産業上の利用可能性】
【００１８】
本発明多人数用ロッカーは以上の通りであって、従来の多人数用ロッカーは、最下段乃至その近傍の収納区画での品物の出入れは、品物の出入れの度に身体を屈み込ませて品物を水平方向に動かす必要があり、至って使い難いものであったのを、この部分の収納区画に引出し筐体を架装し、その引出し筐体を引出して上方から品物の出入れをできるようにしたので、品物の出入れの度に身体を屈め込む煩しさが無くなり、きわめて使い勝手が良好になる結果、スポーツクラブ等の施設における多人数用のロッカーとしてきわめて有用である。
【図面の簡単な説明】
【００１９】
【図１】最上段右側の扉を開けた状態の本発明多人数ロッカーの一例の正面図。
【図２】図１のロッカーのＡ−Ａ線矢視断面図。
【符号の説明】
【００２０】
１        ロッカー筐体
２，３    縦仕切板
４，５，６，７，８，９    横仕切板
10        鎖錠装置
11        ヒンジ式扉
12        鎖錠装置
13        引出し筐体
14        引出しレール
【図１】
2006055527.tif 000003
【図２】
2006055527.tif 000004